(57)【要約】  監視装置（２０）は、バッファ（２３３）、外部装置通信Ｉ／Ｆ（２１３）、トリガ設定部（２１６）、トリガ処理部（２１８）、動画処理部（２３２）および表示処理部（２２５）を有する。トリガ設定部（２１６）は、選択した監視制御情報が異常となるトリガ判定条件を制御装置（１２）に設定する。トリガ処理部（２１８）は、異常発生通知信号を受信すると、異常発生についてのイベント履歴を登録する。動画処理部（２３２）は、異常発生が検知されると、バッファ（２３３）に保存されている異常発生の時刻を含む異常発生の前後の期間のイベント情報を記憶部に保存する。トリガ処理部（２１８）は、異常発生の時刻と、保存されたイベント情報とを対応付けたイベント履歴を生成する。表示処理部（２２５）は、選択されたイベント履歴に含まれるイベント情報を表示部（２１２）に表示する。
2017208391.tif 000002
【特許請求の範囲】
【請求項１】
把持部材が取り付けられたケースと、
ケースに格納される本体部と、
を備え、
前記本体部は、
記録装置から入力されたイベント情報を一時的に保存するイベント情報一時保存部と、
製造装置を制御する制御装置とデータ通信を行う第１通信部と、
前記制御装置で得られる制御情報のうち監視する対象の監視制御情報を選択し、前記監視制御情報が異常となるトリガ判定条件を、前記制御装置に設定するトリガ設定部と、
前記トリガ判定条件にしたがって前記制御装置によって異常と判定され、送信された異常発生通知信号を受信すると、異常発生についてのイベント履歴をイベント履歴情報に登録するトリガ処理部と、
前記トリガ処理部によって前記異常発生が検知されると、前記イベント情報一時保存部に保存されている前記異常発生の時刻を含む前記異常発生の前後の期間の前記イベント情報を記憶部に保存するイベント情報処理部と、
前記イベント履歴情報を表示部に表示する表示処理部と、
を有し、
前記トリガ処理部は、前記異常発生の時刻と、保存された前記イベント情報とを対応付けた前記イベント履歴を生成し、
前記表示処理部は、前記イベント履歴情報中の選択された前記イベント履歴に含まれる前記イベント情報を前記表示部に表示することを特徴とする監視装置。
【請求項２】
前記トリガ判定条件は、前記監視制御情報が１ビットのデータである場合には、前記監視制御情報の立ち上がりまたは立ち下がりを指定するものであり、前記監視制御情報が複数ビットのデータである場合には、前記監視制御情報が異常となる範囲を指定するものであることを特徴とする請求項１に記載の監視装置。
【請求項３】
前記トリガ処理部は、前記異常発生通知信号に含まれる異常種別情報と、前記イベント情報の操作者による確認の有無を示す確認有無情報と、を前記異常発生の時刻と前記イベント情報とに関連付けた前記イベント履歴を生成することを特徴とする請求項１に記載の監視装置。
【請求項４】
前記トリガ設定部は、前記第１通信部を介して前記制御装置との間で通信を実施し、前記通信によって得られた信号の中から前記監視制御情報を選択することを特徴とする請求項１に記載の監視装置。
【請求項５】
前記本体部は、前記制御装置に運転速度パラメータを設定する運転速度パラメータ設定部をさらに有し、
前記イベント情報処理部は、前記制御装置での前記運転速度パラメータを変化させた場合に、基準となる第１運転速度パラメータと、監視時の第２運転速度パラメータとの差にしたがって、前記イベント情報の記録時間の長さを変化させることを特徴とする請求項１に記載の監視装置。
【請求項６】
前記表示処理部は、前記トリガ判定条件を設定するトリガ設定画面と、前記記録装置からのイベント情報を表示する入力イベント情報表示画面と、記録した前記イベント情報を再生するイベント情報再生画面と、前記イベント履歴情報を表示するイベント履歴確認画面と、を指示にしたがって前記表示部に切り替えて表示することを特徴とする請求項１に記載の監視装置。
【請求項７】
前記本体部は、情報処理端末とデータ通信を行う第２通信部をさらに有し、
前記表示処理部は、前記記録装置からのイベント情報を、前記第２通信部を介して前記情報処理端末に送信することを特徴とする請求項１に記載の監視装置。
【請求項８】
前記本体部は、
情報処理端末または外部記憶装置とデータ通信を行う第２通信部と、
前記記憶部に記憶された前記イベント情報を、前記第２通信部を介して前記情報処理端末または前記外部記憶装置に保存するファイル処理部と、
をさらに有することを特徴とする請求項１に記載の監視装置。
【請求項９】
把持部材が取り付けられたケースと、
ケースに格納される本体部と、
を備え、
前記本体部は、
記録装置から入力されたイベント情報を一時的に保存するイベント情報一時保存部と、
製造装置を制御する制御装置から出力される外部信号を受信する外部信号入力部と、
前記制御装置から出力される前記外部信号のうち監視する対象の監視外部信号を選択し、前記監視外部信号が異常となる第１トリガ判定条件を、前記制御装置に設定するトリガ設定部と、
前記監視外部信号が入力されると、異常発生についてのイベント履歴をイベント履歴情報に登録するトリガ処理部と、
前記トリガ処理部によって前記異常発生が検知されると、前記イベント情報一時保存部に保存されている前記異常発生の時刻を含む前記異常発生の前後の期間の前記イベント情報を記憶部に保存するイベント情報処理部と、
前記イベント履歴情報を表示部に表示する表示処理部と、
を有し、
前記トリガ処理部は、前記異常発生の時刻と、保存された前記イベント情報とを対応付けた前記イベント履歴を生成し、
前記表示処理部は、前記イベント履歴情報中の選択された前記イベント履歴に含まれる前記イベント情報を前記表示部に表示することを特徴とする監視装置。
【請求項１０】
前記第１トリガ判定条件は、前記監視外部信号の立ち上がりまたは立ち下がりを指定するものであることを特徴とする請求項９に記載の監視装置。
【請求項１１】
前記トリガ処理部は、前記監視外部信号に基づく異常種別情報と、前記イベント情報の操作者による確認の有無を示す確認有無情報と、を前記異常発生の時刻と前記イベント情報とに関連付けた前記イベント履歴を生成することを特徴とする請求項９に記載の監視装置。
【請求項１２】
前記本体部は、製造装置を制御する制御装置とデータ通信を行う通信部をさらに有し、
前記トリガ設定部は、前記制御装置で得られる制御情報のうち監視する対象の監視制御情報を選択し、前記監視制御情報が異常となる第２トリガ判定条件を、前記制御装置にさらに設定し、
前記トリガ処理部は、前記第２トリガ判定条件にしたがって前記制御装置によって異常と判定され、送信された異常発生通知信号を受信した場合にも、異常発生についてのイベント履歴を前記イベント履歴情報に登録することを特徴とする請求項９に記載の監視装置。
【請求項１３】
前記本体部は、
情報処理端末または外部記憶装置とデータ通信を行う通信部と、
前記記憶部に記憶された前記イベント情報を、前記通信部を介して前記情報処理端末または前記外部記憶装置に保存するファイル処理部と、
をさらに有することを特徴とする請求項９に記載の監視装置。
【請求項１４】
前記トリガ設定部は、前記外部信号入力部を介して前記制御装置との間で通信を実施し、前記通信によって得られた信号の中から前記監視外部信号を選択することを特徴とする請求項９に記載の監視装置。
【請求項１５】
前記表示処理部は、前記第１トリガ判定条件を設定するトリガ設定画面と、前記記録装置からのイベント情報を表示する入力イベント情報表示画面と、記録した前記イベント情報を再生するイベント情報再生画面と、前記イベント履歴情報を表示するイベント履歴確認画面と、を指示にしたがって前記表示部に切り替えて表示することを特徴とする請求項９に記載の監視装置。
【請求項１６】
前記本体部は、情報処理端末とデータ通信を行う通信部をさらに有し、
前記表示処理部は、前記記録装置からのイベント情報を、前記通信部を介して前記情報処理端末に送信することを特徴とする請求項９に記載の監視装置。
【請求項１７】
前記イベント情報処理部は、前記イベント情報中の前記異常発生時のフレームに区切り情報を付加することを特徴とする請求項１または９に記載の監視装置。
【請求項１８】
前記本体部は、
外部メモリと接続し、前記外部メモリとの間で通信を行う外部メモリ接続部と、
前記記憶部に記憶された前記イベント情報を、前記外部メモリ接続部を介して前記外部メモリに保存するファイル処理部と、
をさらに有することを特徴とする請求項１または９に記載の監視装置。
【請求項１９】
前記本体部は、前記異常発生が検知された場合の前記イベント情報処理部によるイベント情報の保存とは独立に、前記記録装置からのイベント情報を前記記憶部に保存する強制保存部をさらに有することを特徴とする請求項１または９に記載の監視装置。
【請求項２０】
前記本体部は、前記確認有無情報が無である前記イベント履歴を前記イベント履歴情報から取得する履歴確認部をさらに有し、
前記表示処理部は、取得した前記確認有無情報が無である前記イベント履歴を前記表示部に表示することを特徴とする請求項３または１１に記載の監視装置。
【請求項２１】
製造装置を制御する制御装置で得られる制御情報のうち監視する対象の監視制御情報を選択し、前記監視制御情報が異常となるトリガ判定条件を、通信部を介して前記制御装置に設定する工程と、
前記トリガ判定条件を設定した前記制御装置が制御する製造装置を記録する工程と、
記録されたイベント情報を一時的に保存する工程と、
前記トリガ判定条件にしたがって前記制御装置によって異常と判定された異常発生通知信号を受信する工程と、
前記異常発生通知信号を受信すると、一時的に保存されている前記イベント情報のうち、異常発生の時刻を含む前記異常発生の前後の期間の前記イベント情報を保存する工程と、
前記異常発生の時刻と、保存された前記イベント情報と、を関連付けたイベント履歴を、イベント履歴情報に登録する工程と、
前記イベント履歴情報中の選択された前記イベント履歴に含まれる前記イベント情報を表示する工程と、
を含むことを特徴とする監視方法。
【請求項２２】
製造装置を制御する制御装置から出力される外部信号のうち監視する対象の監視外部信号を選択し、前記監視外部信号が異常となるトリガ判定条件を、前記制御装置に設定する工程と、
前記トリガ判定条件を設定した前記制御装置が制御する製造装置を記録する工程と、
記録されたイベント情報を一時的に保存する工程と、
前記制御装置から出力される前記監視外部信号を受信し、異常発生を検知する工程と、
前記異常発生が検知されると、一時的に保存されている前記イベント情報のうち、前記異常発生の時刻を含む前記異常発生の前後の期間の前記イベント情報を保存する工程と、
前記異常発生の時刻と、保存された前記イベント情報と、を関連付けたイベント履歴を、イベント履歴情報に登録する工程と、
前記イベント履歴情報中の選択された前記イベント履歴に含まれる前記イベント情報を表示する工程と、
を含むことを特徴とする監視方法。
【発明の詳細な説明】
【技術分野】
【０００１】
本発明は、制御装置で制御される製造装置の監視を行う監視装置および監視方法に関するものである。
【背景技術】
【０００２】
下記の特許文献１には、制御装置で制御される製造装置で発生したトラブルの原因究明を行うためのロギング装置が提案されている。従来のロギング装置では、監視対象を含む領域がカメラで撮像される。撮像中にトラブルの原因となるイベントが発生したときに、撮像したデータに、検索用のマークが登録される。検索用のマークが登録された撮像データは、ログファイルにされ、ネットワークを介して接続された外部サーバに保存される。
【先行技術文献】
【特許文献】
【０００３】
【特許文献１】特開２０００−２５９２３９号公報
【発明の概要】
【発明が解決しようとする課題】
【０００４】
しかしながら、従来のロギング装置では、撮像を開始してから終了するまでの期間中の、すべての撮像データがログファイルにされ、外部サーバに保存される。また、撮像期間は数時間以上の長期にわたることが多い。このため、外部サーバは、大記憶容量の記憶装置を備えなければならない。また、従来のロギング装置では、ロギング装置を設置した場所で、ログファイルを確認することができない。【０００５】
本発明は上記に鑑みてなされたもので、ログファイルの容量を従来に比して小さくし、設置した場所でログファイルを確認することができる監視装置および監視方法を得ることを目的とする。
【課題を解決するための手段】
【０００６】
上記目的を達成するため、本発明にかかる監視装置は、把持部材が取り付けられたケースと、ケースに格納される本体部と、を備える。本体部は、イベント情報一時保存部と、第１通信部と、トリガ設定部と、トリガ処理部と、イベント情報処理部と、表示処理部と、を有する。イベント情報一時保存部は、記録装置から入力されたイベント情報を一時的に保存する。第１通信部は、製造装置を制御する制御装置とデータ通信を行う。トリガ設定部は、制御装置で得られる制御情報のうち監視する対象の監視制御情報を選択し、監視制御情報が異常となるトリガ判定条件を、制御装置に設定する。トリガ処理部は、トリガ判定条件にしたがって制御装置によって異常と判定され、送信された異常発生通知信号を受信すると、異常発生についてのイベント履歴をイベント履歴情報に登録する。イベント情報処理部は、トリガ処理部によって異常発生が検知されると、イベント情報一時保存部に保存されている異常発生の時刻を含む異常発生の前後の期間のイベント情報を記憶部に保存する。表示処理部は、イベント履歴情報を表示部に表示する。トリガ処理部は、異常発生の時刻と、保存されたイベント情報とを対応付けたイベント履歴を生成する。表示処理部は、イベント履歴情報中の選択されたイベント履歴に含まれるイベント情報を表示部に表示する。
【発明の効果】
【０００７】
本発明によれば、ログファイルの容量を従来に比して小さくし、設置した場所でログファイルを確認することができるという効果を有する。
【図面の簡単な説明】
【０００８】
【図１】実施の形態１による監視装置を含む監視システムの機能構成の一例を模式的に示すブロック図
【図２】トリガ設定条件の一例を示す図
【図３】異常原因識別情報の一例を示す図
【図４】異常分類情報の一例を示す図
【図５】実施の形態１によるトリガ設定画面の一例を示す図
【図６】実施の形態１によるイベント履歴情報の一例を示す図
【図７】実施の形態１によるイベント履歴確認画面の一例を示す図
【図８】実施の形態１による監視装置の外観の構成の一例を模式的に示す斜視図
【図９】実施の形態１による監視処理の手順の一例を示すフローチャート
【図１０】実施の形態１による監視装置の配置の一例を模式的に示す斜視図
【図１１】入力画像表示画面の一例を示す図
【図１２】履歴確認処理の手順の一例を示すフローチャート
【図１３】実施の形態２による監視システムの機能構成の一例を模式的に示すブロック図
【図１４】実施の形態２によるトリガ設定画面の一例を示す図
【図１５】実施の形態２によるイベント履歴情報の一例を示す図
【図１６】実施の形態２による監視装置の外観の構成の一例を模式的に示す斜視図
【図１７】実施の形態３による監視システムの機能構成の一例を模式的に示すブロック図
【図１８】実施の形態３による異常分類情報の一例を示す図
【図１９】実施の形態３によるトリガ設定画面の一例を示す図
【図２０】実施の形態３によるイベント履歴情報の一例を示す図
【図２１】実施の形態４による監視システムの機能構成の一例を模式的に示すブロック図
【図２２】実施の形態４による記録時間の一例を示す図
【図２３】監視装置の機能を実現するコンピュータ装置のハードウェア構成の一例を模式的に示すブロック図
【発明を実施するための形態】
【０００９】
以下に添付図面を参照して、本発明の実施の形態にかかる監視装置および監視方法を詳細に説明する。なお、これらの実施の形態により本発明が限定されるものではない。
【００１０】
実施の形態１．
図１は、実施の形態１による監視装置を含む監視システムの機能構成の一例を模式的に示すブロック図である。監視システムは、監視装置２０と、カメラ５０と、を備える。監視システムは、製造システム１０の動作状態を監視する。
【００１１】
製造システム１０は、製造装置１１と、制御装置１２と、を備える。この例では、製造システム１０中には複数の製造装置１１が含まれ、これらのうちのいくつかが監視対象の製造装置１１ａとなっているものとする。また、制御装置１２は、監視対象の製造装置１１ａを含む製造装置１１の動作をプログラムにしたがって制御する。制御装置１２は、プログラマブルコントローラである。また、制御装置１２は、製造装置１１で異常が発生したことを検知し、異常発生通知信号を監視装置２０へと送信する異常発生検知部１２１を備える。製造装置１１の異常には、製造装置１１の一時停止が挙げられる。一時停止は、自動化された製造装置１１において発生する一時的なトラブルによる製造装置１１の停止のことである。
【００１２】
異常発生検知部１２１は、監視装置２０によって設定されたトリガ設定条件が満たされた時に、異常発生通知信号を通知する。このとき、異常発生通知信号は、異常の種類を示すフラグを含む。異常の種類を示すフラグは、異常原因識別情報にしたがって、異常発生検知部１２１によって選択される。
【００１３】
図２は、トリガ設定条件の一例を示す図である。トリガ設定条件は、異常発生検知部１２１で異常発生通知信号が生成される条件である。より具体的には、トリガ設定条件は、一時停止の原因となるあるいは一時停止の原因と思われる制御装置１２の制御情報を識別する識別情報に対して設定される条件である。以下では、デバイスは、制御情報を識別する識別情報のことを示し、デバイス値は、制御情報の値のことを示す。
【００１４】
トリガ設定条件は、デバイス種別と、デバイス値識別子と、異常判定条件と、を有する。デバイス種別は、デバイス値の種類を識別する情報である。デバイス値は、制御装置１２を構成するメモリ中の定められた領域に記憶される値である。この値には、１ビットでの制御装置１２の状態を示すビットデバイスと、複数ビットで制御装置１２の状態を示すワードデバイスと、がある。つまり、デバイス種別は、ビットデバイスかワードデバイスかを識別する情報である。
【００１５】
製造装置１１の制御に関係する情報は、制御装置１２のメモリ中に割り当てられた領域に保存され、デバイス値となる。この領域には変数名である識別情報が割り当てられている。この識別情報が、デバイス値識別子である。ビットデバイスの識別情報には、「Ｘ○○」が割り当てられ、ワードデバイスの識別情報には、「Ｄ○○」が割り当てられる。トリガ設定条件に設定されたデバイス値識別子が監視制御情報となる。
【００１６】
異常判定条件は、デバイス値が異常と判定される条件を示す。具体的には、デバイス値識別子で指定される領域に保存された値が異常と判定される条件が異常判定条件である。ビットデバイスの場合には、製造装置１１が異常であるとされる立ち上がりまたは立ち下がりが指定される。また、ワードデバイスの場合には、製造装置１１が異常であるとされる数値範囲が指定される。
【００１７】
異常原因識別情報は、異常の原因となるトリガ設定条件中のデバイス値識別子に、後述する異常の種類を示すフラグを対応付けた情報である。図３は、異常原因識別情報の一例を示す図である。異常原因識別情報は、フラグと、デバイス値識別子と、を含む。フラグは、異常の種類を識別する情報である。デバイス値識別子は、トリガ設定条件で示したものと同じであり、異常の原因と推定されるデバイス値識別子である。
【００１８】
異常発生検知部１２１は、トリガ設定条件で設定されているデバイス値が異常判定条件を満たすときに、異常発生通知信号を生成する。このとき、異常発生検知部１２１は、異常原因識別情報を参照して、異常の原因であるデバイス値識別子に対応するフラグを取得し、取得したフラグを異常発生通知信号に含める。また、異常発生検知部１２１は、異常発生時刻を異常発生通知信号に含めてもよい。そして、異常発生検知部１２１は、監視装置２０からポーリングを受信した際に異常発生通知信号を送信する。
【００１９】
監視装置２０は、動画処理装置２３０が装着されたプログラマブル表示器２１０である。監視装置２０は、入力部２１１と、表示部２１２と、外部装置通信Ｉ／Ｆ２１３と、動画保存条件記憶部２１４と、異常分類情報記憶部２１５と、トリガ設定部２１６と、イベント履歴情報記憶部２１７と、トリガ処理部２１８と、履歴確認部２１９と、強制保存部２２０と、ファイル処理部２２４と、表示処理部２２５と、映像入力Ｉ／Ｆ２３１と、動画処理部２３２と、バッファ２３３と、内部記憶部２３４と、外部メモリＩ／Ｆ２２１と、を備える。なお、通常のプログラマブル表示器で処理される機能処理部については省略している。また、これらの処理部は、監視装置２０の機能を実現する本体部を構成する。
【００２０】
入力部２１１は、操作者による操作を受け付ける入力インタフェースである。入力部２１１には、ボタン、またはキーボードが例示される。表示部２１２は、監視装置２０におけるデータおよび画像、カメラ５０で撮像された映像の各種情報を表示処理部２２５の指示に従って表示する機能部である。表示部２１２には、液晶表示装置または有機ＥＬ（ElectroLuminescence）表示装置が例示される。なお、入力部２１１および表示部２１２が、タッチパネルを構成してもよい。この場合には、表示部２１２の表示画面上に、入力部２１１であるタッチ操作検出用センサが設けられることで、タッチパネルが構成される。
【００２１】
外部装置通信Ｉ／Ｆ２１３は、通信部であり、外部装置との間で通信を行うインタフェースである。外部装置には、監視対象の制御装置１２、パーソナルコンピュータを含む情報処理端末６１、ネットワーク上に配置された外部記憶装置６２が例示される。外部装置通信Ｉ／Ｆ２１３は、イーサネット（登録商標）コネクタによって構成される。実施の形態１では、外部装置通信Ｉ／Ｆ２１３は、ポーリングによって制御装置１２に異常発生通知信号の送信要求の有無を問い合わせる。なお、図では、１つの外部装置通信Ｉ／Ｆ２１３が図示されているが、制御装置１２と接続される外部装置通信Ｉ／Ｆ２１３と、外部装置と接続される外部装置通信Ｉ／Ｆ２１３と、が設けられる構成であってもよい。
【００２２】
動画保存条件記憶部２１４は、トリガを検出したときの動画保存条件を記憶する。動画保存条件は、記録時間を指定する条件である。実施の形態１の動画保存条件では、トリガ発生前のΔｔ１１からトリガ発生後のΔｔ１２までの期間が設定される。
【００２３】
異常分類情報記憶部２１５は、異常発生通知信号に含まれるフラグと、異常の種類と、を対応付ける情報である。図４は、異常分類情報の一例を示す図である。異常分類情報は、フラグと、異常の種類と、を含む。フラグは、図３の異常原因識別情報中のフラグと同じものである。異常の種類は、製造装置１１で発生した異常の種類を示す。異常の種類には、装置異常、温度異常またはライン異常が例示される。
【００２４】
トリガ設定部２１６は、トリガ設定条件を制御装置１２に設定する。トリガ設定部２１６は、表示処理部２２５によって表示部２１２に表示されたトリガ設定画面に、入力部２１１を介して操作者によって入力された内容に基づいて制御装置１２に対して設定を行う。トリガは、一時停止の原因となるあるいは一時停止の原因となると推定される制御装置１２のデバイス値識別子に設定される条件である。
【００２５】
図５は、実施の形態１によるトリガ設定画面の一例を示す図である。トリガ設定画面５００は、デバイス種別設定部５１０、ビットデバイストリガ設定部５２０およびワードデバイストリガ設定部５３０を有する。デバイス種別設定部５１０は、デバイス種別、すなわちビットデバイスかワードデバイスか、を選択する領域である。
【００２６】
ビットデバイストリガ設定部５２０は、デバイス種別がビットデバイスであることを選択したときに、異常発生通知信号の検知条件の設定を行う領域である。ビットデバイストリガ設定部５２０は、デバイス値識別子設定領域５２１と、異常検知タイミング設定領域５２２と、を含む。デバイス値識別子設定領域５２１は、一時停止の発生に関連する信号を記憶するメモリ内の１ビットの位置を示すデバイス値識別子を設定する領域である。異常検知タイミング設定領域５２２は、デバイス値識別子設定領域５２１で設定されたデバイス値識別子が立ち上がりで異常を検知するのか、立ち下がりで異常を検知するのか、を設定する領域である。
【００２７】
ワードデバイストリガ設定部５３０は、デバイス種別がワードデバイスであることを選択したときに、異常発生通知信号の検知条件の設定を行う領域である。ワードデバイストリガ設定部５３０は、デバイス値識別子設定領域５３１と、異常検知範囲設定領域５３２と、を含む。デバイス値識別子設定領域５３１は、一時停止の発生に関連する信号を記憶するメモリ内の複数ビットの位置を示すデバイス値識別子を設定する領域である。異常検知範囲設定領域５３２は、デバイス値識別子設定領域５３１で設定されたデバイス値識別子が異常であると判定される範囲を設定する領域である。
【００２８】
イベント履歴情報記憶部２１７は、イベント履歴情報を記憶する。イベント履歴情報は、トリガ設定部２１６で設定されたトリガによって引き起こされたイベント履歴である。図６は、実施の形態１によるイベント履歴情報の一例を示す図である。イベント履歴情報は、イベント発生日時、コメント、動画データファイル名、および確認状況を含む。イベント発生日時は、トリガ設定部２１６で設定されたトリガが発生した日時を示す。トリガが発生した日時は、異常発生通知信号に含まれる。コメントは、発生したトリガに関連する異常の種類である。動画データファイル名は、発生したトリガによって保存された動画データファイルの名称を指定するものである。動画データファイル名のほかに、動画データファイルの記憶場所を指定する情報が付加されていてもよい。確認状況は、発生したトリガの動画データファイルの操作者による確認の有無を示す。
【００２９】
トリガ処理部２１８は、外部装置通信Ｉ／Ｆ２１３で異常発生通知信号を受信したか否かを判定する。また、トリガ処理部２１８は、異常発生通知信号を受信した場合には、動画処理部２３２にイベント発生時点を含む期間の動画データを保存する指示を与え、イベント履歴情報にレコードを登録する。具体的には、トリガ処理部２１８は、異常発生通知信号を受信すると、異常発生通知信号に含まれる異常発生時刻を取得する。取得した異常発生時刻はイベント発生日時となる。また、トリガ処理部２１８は、異常分類情報を参照して異常発生通知信号に含まれるフラグに対応する異常の種類を取得する。取得した異常の種類はコメントとなる。さらに、トリガ処理部２１８は、動画処理部２３２で保存された動画データファイル名を取得する。そして、トリガ処理部２１８は、これらの情報の確認状況を未確認としたレコードをイベント履歴情報に登録する。
【００３０】
履歴確認部２１９は、イベント履歴情報の確認に関係する処理を行う。履歴確認部２１９は、イベント履歴情報のうち、操作者によって選択されたレコードの動画データファイルを再生し、動画データファイルを再生したレコードの確認状況を確認済みに変更する。また、履歴確認部２１９は、確認状況が未確認のレコードのみを表示部２１２に表示させるようにしてもよい。イベント履歴情報の確認は、イベント履歴確認画面によって行われる。
【００３１】
図７は、実施の形態１によるイベント履歴確認画面の一例を示す図である。イベント履歴確認画面７００は、イベント履歴一覧表示領域７１０と、再生開始ボタン７２０と、を有する。イベント履歴一覧表示領域７１０は、イベント履歴情報記憶部２１７に記憶されているイベント履歴情報がレコードごとに表示される。イベント履歴一覧表示領域７１０には、イベント履歴情報中のイベント発生日時とコメントとが表示される。ここでは、既に確認済みのレコードは、細字の斜体で表示され、未確認のレコードは、太字で表示される例が示されている。イベント履歴一覧表示領域７１０中のレコードが、操作者によって入力部２１１を介して選択される。再生開始ボタン７２０は、イベント履歴一覧表示領域７１０中の選択されたレコードに対応付けられた動画データファイルを再生する指示を与えるボタンである。
【００３２】
強制保存部２２０は、入力部２１１を介して動画データの録画を指示されると、トリガ設定条件の成立の有無にかかわらず、指示された時点からの動画データの保存を開始する。そして、強制保存部２２０は、入力部２１１を介して動画データの録画停止を指示されると、現在録画中の動画データを保存する。トリガ成立とは独立に動画データの保存操作を行うスイッチオブジェクトが、表示処理部２２５によって表示部２１２に表示される各種画面に設けられる。このスイッチオブジェクトが、強制保存部２２０の処理に対応付けられる。
【００３３】
ファイル処理部２２４は、入力部２１１を介した操作者からの指示に基づいて、ファイルの保存処理を行う。ファイル処理部２２４は、内部記憶部２３４に保存されている動画データファイルを、外部メモリＩ／Ｆ２２１を介して外部メモリ６３に保存したり、外部装置通信Ｉ／Ｆ２１３を介して情報処理端末６１または外部記憶装置６２に保存したりする。
【００３４】
表示処理部２２５は、表示部２１２に画面を表示させる処理を行う。表示処理部２２５は、トリガ設定画面５００またはイベント履歴確認画面７００を表示部２１２に表示させる。また、表示処理部２２５は、イベント履歴確認画面７００で選択された動画データを表示部２１２に再生する動画再生画面を表示させる。さらに、表示処理部２２５は、映像入力Ｉ／Ｆ２３１で受信した動画データを入力画像表示画面にして、表示部２１２に表示させたり、外部装置通信Ｉ／Ｆ２１３を介して、情報処理端末６１の表示部にリアルタイムで表示させたりすることができる。
【００３５】
映像入力Ｉ／Ｆ２３１は、カメラ５０などの撮像装置を接続するためのインタフェースであり、映像入力部である。動画処理部２３２は、映像入力Ｉ／Ｆ２３１から受信した動画データをバッファ２３３に一時的に格納する。また、トリガ処理部２１８から動画データの保存を指示されると、異常発生時刻からΔｔ１１前の時点から、異常発生時刻からΔｔ１２後の時点までの動画データを内部記憶部２３４に保存する。保存された動画データは、動画データファイルとなる。動画処理部２３２は、動画データファイルの異常発生時刻のフレームにチャプタマークなどの区切り情報を付してもよい。
【００３６】
バッファ２３３は、動画データを一時的に保存する動画データ一時保存部である。バッファ２３３は、異常発生時刻をｔ０としたとき、時刻ｔ０−Δｔ５１から時刻ｔ０＋Δｔ５２までの範囲の動画データを保存することができるサイズを有する。Δｔ５１、Δｔ５２は、製造装置１１での異常発生時刻ｔ０の前後において、異常発生に関係する事象が観察される可能性が高い時間範囲に設定される。なお、Δｔ５１は、正の値で、絶対値でΔｔ１１以上の大きさを有し、Δｔ５２は、正の値で、絶対値でΔｔ１２以上の大きさを有する。Δｔ５１、Δｔ５２は、違う値を有していてもよいし、同じ値を有していてもよい。また、バッファ２３３は、先に入力した動画データから順に保存され、バッファ２３３を構成する領域が動画データで満たされると、保存された時刻が古い動画データの保存領域から順に上書きしていくリングバッファの構成を有する。
【００３７】
内部記憶部２３４は、動画処理部２３２によって保存指示を受けた動画データファイルを記憶する記憶部である。内部記憶部２３４は、ハードディスク装置またはＳＳＤ（Solid  State  Drive）によって構成される。
【００３８】
外部メモリＩ／Ｆ２２１は、外部メモリ６３を接続するためのインタフェースである。外部メモリ６３には、ＳＤカード、ｍｉｎｉＳＤカード、ｍｉｃｒｏＳＤカード、またはＵＳＢ（Universal  Serial  Bus）メモリが用いられる。外部メモリＩ／Ｆ２２１は、これらの外部メモリ６３と通信可能な規格を有する。
【００３９】
上記の構成において、入力部２１１と、表示部２１２と、外部装置通信Ｉ／Ｆ２１３と、動画保存条件記憶部２１４と、異常分類情報記憶部２１５と、トリガ設定部２１６と、イベント履歴情報記憶部２１７と、トリガ処理部２１８と、履歴確認部２１９と、強制保存部２２０と、ファイル処理部２２４と、表示処理部２２５と、動画処理部２３２と、バッファ２３３と、内部記憶部２３４と、外部メモリＩ／Ｆ２２１と、はプログラマブル表示器２１０を構成する。また、映像入力Ｉ／Ｆ２３１と、動画処理部２３２と、バッファ２３３と、内部記憶部２３４と、は動画処理装置２３０を構成する。
【００４０】
図８は、実施の形態１による監視装置の外観の構成の一例を模式的に示す斜視図である。監視装置２０は、図１に示した構成の本体部が直方体状のケース２５１に収納される。直方体状のケース２５１の一面には、表示部２１２が設けられる。表示部２１２の外周部には、外部メモリ接続部２５２が設けられる。外部メモリ接続部２５２は、外部メモリＩ／Ｆ２２１を内部に含む。外部メモリ接続部２５２は、ＵＳＢ（Universal  Serial  Bus）コネクタであり、あるいはカード型メモリの装着スロットである。１つの外部メモリ接続部２５２が設けられてもよいし、複数の外部メモリ接続部２５２が設けられてもよい。複数の外部メモリ接続部２５２が設けられる場合には、同じ種類の外部メモリ接続部２５２で構成されてもよいし、複数種類の外部メモリ接続部２５２で構成されてもよい。
【００４１】
表示部２１２に隣接する側面には、ＡＣ電源２５３、サービスコンセント２５４、映像入力Ｉ／Ｆ２３１、外部装置通信Ｉ／Ｆ２１３、電源スイッチ２５５が設けられる。ＡＣ電源２５３は、監視装置２０に電力を供給する電源ケーブルを接続するためのコネクタである。サービスコンセント２５４は、ＡＣ電源２５３と接続され、他の装置に対して電源を供給することができるコネクタである。サービスコンセント２５４は、映像入力Ｉ／Ｆ２３１に接続されるカメラ５０、外部装置通信Ｉ／Ｆ２１３に接続される持ち運び可能な情報処理端末６１に対して、電源ケーブルを介して電力を供給することができる。電源スイッチ２５５は、監視装置２０自体の電源のオンまたはオフを制御するスイッチである。外部装置通信Ｉ／Ｆ２１３は、イーサネット（登録商標）コネクタによって構成される。なお、映像入力Ｉ／Ｆ２３１は、カメラ５０とケーブルを介して接続される。
【００４２】
また、表示部２１２に隣接する側面には、把持部である可倒式の取っ手２５６が設けられる。つまり、監視装置２０は、持ち運び可能な構成となっている。
【００４３】
このような持ち運び可能な構成の監視装置２０は、製造システム１０において一時停止が発生する位置に設置することが可能である。そして、設置した位置において、撮像した動画データファイルを確認することが可能になる。
【００４４】
つぎに、このような構成の監視装置２０の動作について説明する。図９は、実施の形態１による監視処理の手順の一例を示すフローチャートである。まず、動作中の一時停止の発生が疑われる監視対象を観察することができる位置に、操作者が監視装置２０を設置する。上記したように、監視装置２０には取っ手２５６が設けられているので、監視対象の位置まで操作者が監視装置２０を持ち運ぶことができる。
【００４５】
図１０は、実施の形態１による監視装置の配置の一例を模式的に示す斜視図である。ここでは、製造システム１０を構成する複数の製造装置１１ａが監視対象である場合が例示されている。操作者は、監視対象の製造装置１１ａの全体が映るようにカメラ５０を配置し、監視装置２０とカメラ５０との間をケーブルで接続する。また、操作者は、外部装置通信Ｉ／Ｆ２１３を介して監視対象の製造装置１１ａを制御する制御装置１２を、監視装置２０に接続する。
【００４６】
その後、ステップＳ１１において、操作者は、監視装置２０の電源スイッチ２５５を投入した後、トリガ設定条件の設定処理を行う。トリガ設定条件の設定は、図５に例示されるトリガ設定画面５００によって行われる。操作者によってトリガ設定画面５００に入力された内容が、トリガ設定部２１６によって外部装置通信Ｉ／Ｆ２１３を介して制御装置１２に設定される。
【００４７】
ついで、ステップＳ１２において、製造システム１０の動作が開始され、カメラ５０による監視対象の撮像が開始される。カメラ５０によって撮像された動画データは、監視装置２０のバッファ２３３に一時的に保存される。このとき、バッファ２３３はあるサイズを有しており、バッファ２３３の先頭の記憶領域から順に動画データが一時的に保存される。バッファ２３３の容量がすべて動画データで埋まってしまうと、以降に撮像された動画データは、保存された時刻が古い動画データが記憶されている領域に上書きされる。
【００４８】
その後、ステップＳ１３において、監視装置２０のトリガ処理部２１８は、制御装置１２から異常発生通知信号を受信したかを判定する。異常発生通知信号の受信は、監視装置２０から制御装置１２へのポーリングによって行われる。外部装置通信Ｉ／Ｆ２１３が、異常発生通知信号の送信要求があるかを示す信号を、監視対象の製造装置１１ａに接続される制御装置１２に順にポーリングで送信する。そして、制御装置１２は、ポーリングを受信したときに、トリガ設定条件を満たす異常が発生していた場合には、異常発生通知信号を送信する。異常発生通知信号は、異常発生時刻と、デバイス値識別子に対応付けられたフラグと、を含む。
【００４９】
異常発生通知信号を受信しない場合、すなわちステップＳ１３でＮｏの場合には、ステップＳ１４において、トリガ処理部２１８は、操作者から監視処理終了の指示を受けたかを判定する。監視処理終了の指示を受けていない場合、すなわちステップＳ１４でＮｏの場合には、ステップＳ１３に戻る。
【００５０】
また、異常発生通知信号を受信した場合、すなわちステップＳ１３でＹｅｓの場合には、ステップＳ１５において、トリガ処理部２１８は、動画データを保存するように動画処理部２３２に指示を出し、動画処理部２３２は、バッファ２３３に保存されている動画データのうち、異常発生時刻を含む記録時間の動画データを保存する。具体的には、動画処理部２３２は、バッファ２３３に保存されている動画データのうち、異常発生時刻から期間Δｔ１１前から、異常発生時刻から期間Δｔ１２後までの動画データを取得する。そして、動画処理部２３２は、動画データファイルに名称を付けて、記憶部に保存する。動画データは、内部記憶部２３４に保存されてもよいし、外部メモリＩ／Ｆ２２１を介して外部メモリ６３が接続されている場合には、外部メモリ６３に保存されてもよい。
【００５１】
また、ステップＳ１６において、トリガ処理部２１８は、イベント履歴を生成し、イベント履歴情報記憶部２１７に記憶する。具体的には、トリガ処理部２１８は、受信した異常発生通知信号のフラグに対応する異常の種類を、異常分類情報から取得する。そして、トリガ処理部２１８は、異常発生時刻と、異常の種類と、保存された動画データファイル名と、を対応付け、動画データファイルを未確認としたイベント履歴を生成し、図６に示されるようにイベント履歴情報に記録する。その後、処理が、ステップＳ１３に戻る。
【００５２】
操作者から監視処理の終了の指示を受けた場合、すなわちステップＳ１４でＹｅｓの場合には、カメラ５０での監視が停止され、監視処理が終了する。
【００５３】
監視処理を実行している間は、表示部２１２には、カメラ５０で撮像されたライブ画像である入力画像表示画面が表示される。図１１は、入力画像表示画面の一例を示す図である。入力画像表示画面１１００は、入力画像表示部分１１１０と、強制録画ボタン１１２０と、を有する。入力画像表示部分１１１０は、カメラ５０で撮像されたリアルタイムの画像を表示する。強制録画ボタン１１２０は、トリガ設定条件にかかわらず、現時点でカメラ５０で撮像されている映像の保存を指示するボタンである。１回目に強制録画ボタン１１２０が押されると、強制保存部２２０は、保存する動画データの録画を開始し、２回目に強制録画ボタン１１２０が押されると、強制保存部２２０は、動画データの録画を終了し、動画データを内部記憶部２３４内に保存する。
【００５４】
図１２は、履歴確認処理の手順の一例を示すフローチャートである。まず、ステップＳ３１において、履歴確認部２１９は、イベント履歴情報記憶部２１７からイベント履歴情報を取得する。ついで、ステップＳ３２において、表示処理部２２５は、取得したイベント履歴情報を含むイベント履歴確認画面７００を表示部２１２に表示する。図７に示されるように、イベント履歴確認画面７００では、イベント発生日時で指定される異常が、どんな種類であるのかが示される。
【００５５】
操作者は、イベント履歴一覧表示領域７１０中から確認したいイベント履歴を選択し、再生開始ボタン７２０を押す。これによって、ステップＳ３３において、履歴確認部２１９は、イベント履歴確認画面７００で操作者によって選択されたイベント履歴に対応する動画データファイルを、内部記憶部２３４から読み出す。そして、表示処理部２２５は、読み出した動画データファイルを表示部２１２上で再生する。
【００５６】
ステップＳ３４において、履歴確認部２１９は、選択されたイベント履歴の確認状況が「未確認」であったかを確認する。選択されたイベント履歴の確認状況が「未確認」であった場合、すなわちステップＳ３４でＹｅｓの場合には、ステップＳ３５において、履歴確認部２１９は、イベント履歴情報記憶部２１７中のイベント履歴情報の選択されたイベント履歴の確認状況を「確認済み」に変更する。
【００５７】
一方、選択されたイベント履歴の確認状況が「確認済み」の場合、すなわちステップＳ３４でＮｏの場合には、何も処理が行われない。その後またはステップＳ３５の後に、ステップＳ３６において、履歴確認部２１９は、操作者から履歴確認処理の終了が指示されたかを確認する。
【００５８】
履歴確認処理の終了が指示されていない場合、すなわちステップＳ３６でＮｏの場合には、ステップＳ３１に戻り、上記した処理が繰り返し行われる。また、履歴確認処理の終了が指示された場合、すなわちステップＳ３６でＹｅｓの場合には、表示処理部２２５によってイベント履歴確認画面７００が閉じられ、履歴確認処理が終了する。
【００５９】
なお、上記した説明では、トリガ設定部２１６は、操作者によって指定された情報に基づいて、監視制御情報とトリガ設定条件とを設定していた。しかし、トリガ設定部２１６は、外部装置通信Ｉ／Ｆ２１３を介して受信した制御情報を取得し、この中から操作者によって選択された監視制御情報について設定を行うようにしてもよい。
【００６０】
実施の形態１では、監視装置２０は、外部装置通信Ｉ／Ｆ２１３を介して制御装置１２に接続され、異常発生を検知するトリガ設定条件を制御装置１２に設定するトリガ設定部２１６と、表示部２１２と、を備える構成とした。また、監視装置２０は、制御装置１２から異常発生通知信号を受信すると、異常発生時刻を含む前後の期間の動画データファイルを保存し、イベント履歴を記録するトリガ処理部２１８を備える構成とした。これによって、異常が発生した前後の期間のみの動画データを保存することができ、異常が発生していない他の期間については動画データを保存しなくてよい。この結果、動画データファイルを含むイベント履歴情報の大きさを従来に比して小さくすることができる。また、監視装置２０を設置した場所で、他の情報処理端末を用いることなく、異常発生時の動画データファイルを確認することができる。さらに、プログラマブル表示器２１０を用いたログ管理であるため、他の情報処理端末の持ち込みによるログ管理に比して、実際の作業者が操作し易くなり、操作を理解し易くなり、またプロジェクトデータと整合することができるという効果を有する。
【００６１】
さらに、監視装置２０は可搬性を有する構造としたため、製造システム１０での一時停止のような異常発生箇所が一意に定まらない場合に、任意の場所に監視装置２０を持ち込み、設置して監視を行うことができる。この結果、製造システム１０全体を常に監視する固定的な監視システムを導入する場合に比して、コストを低く抑えることができる。
【００６２】
また、トリガ設定条件はトリガ設定画面５００を用いて変更されるので、監視対象の製造装置１１ａを容易に変更することができる。また、種々の製造装置の監視を順次行うことができる。
【００６３】
監視装置２０は、正常時でも動画データファイルを保存できる強制保存部２２０を備える構成とした。これによって、正常時と異常時の動画データファイルを比較することが可能になり、一時停止の発生原因を特定する労力を削減することができる。
【００６４】
また、監視装置２０は、未確認である動画データファイルのみを表示することができる構成とした。これによって、未確認の動画データファイルの存在が、イベント履歴確認画面７００で操作者に提供される。このため、監視装置２０を、常時監視していなくても、イベント履歴確認画面７００を確認するのみで、製造システム１０の一時停止の発生の有無を検知することができる。
【００６５】
監視装置２０は、外部装置通信Ｉ／Ｆ２１３を介して情報処理端末６１または外部記憶装置６２に動画データファイルを保存することができる。このため、ネットワークを通じてリアルタイムの動画データを、監視対象から離れた遠隔地でも閲覧することができる。
【００６６】
実施の形態２．
実施の形態１では、監視対象の制御装置のメモリに格納される値が異常である場合に、制御装置から受信される異常発生通知信号を監視装置が監視する場合を例に挙げた。実施の形態２では、制御装置の接点出力を監視装置が監視する場合を説明する。
【００６７】
図１３は、実施の形態２による監視システムの機能構成の一例を模式的に示すブロック図である。監視システムは、実施の形態１の場合と同様に、監視装置２０と、カメラ５０と、を備える。監視装置２０は、製造システム１０を構成する製造装置１１中のある監視対象の製造装置１１ａを監視する。製造装置１１を制御する制御装置１２は、製造システム１０の一時停止の原因と考えられる信号を出力する外部出力部１２２を有する。外部出力部１２２の一つの例示は、一時停止発生箇所で異常状態となる信号を出力する接点あるいは光を点灯する信号灯である。
【００６８】
監視装置２０は、実施の形態１の構成に加えて、外部信号入力部である外部信号入力Ｉ／Ｆ２２２をさらに備える。外部信号入力Ｉ／Ｆ２２２は、制御装置１２の外部出力部１２２からの外部信号を受け付ける入力インタフェースである。外部出力部１２２が接点の場合には、外部信号入力Ｉ／Ｆ２２２は、ケーブルを介して制御装置１２の対応する接点と接続される。また、外部出力部１２２が信号灯の場合には、外部信号入力Ｉ／Ｆ２２２は、信号灯に取り付けられた発光検知センサと、ケーブルを介して接続される。
【００６９】
外部装置通信Ｉ／Ｆ２１３は、実施の形態２では、制御装置１２とは接続されず、情報処理端末６１または外部記憶装置６２と接続される。
【００７０】
異常分類情報記憶部２１５は、外部信号と異常の種類とを対応付ける情報である。ここでは、外部信号の変化の検出は、イベント発生に対応付けられる。
【００７１】
トリガ設定部２１６は、制御装置１２の外部出力部１２２からの外部信号を設定する。図１４は、実施の形態２によるトリガ設定画面の一例を示す図である。トリガ設定画面５００は、外部入力信号トリガ設定部５４０を有する。外部入力信号トリガ設定部５４０は、監視対象とする外部信号が立ち上がりで異常を検知するのか、立ち下がりで異常を検知するのか、を設定する領域である。トリガ設定画面５００で設定された外部信号が、監視外部信号となる。
【００７２】
トリガ処理部２１８は、制御装置１２からの監視外部信号を外部信号入力Ｉ／Ｆ２２２で受信すると、一時停止に関連するイベントが発生したものと判定して、動画データを保存する処理を含むイベント履歴を記録する処理を行う。トリガ処理部２１８が実行する処理は、トリガが異常発生通知信号ではなく監視外部信号である点を除いて実施の形態１と同様である。
【００７３】
イベント履歴情報記憶部２１７は、イベント履歴情報を記憶する。図１５は、実施の形態２によるイベント履歴情報の一例を示す図である。イベント履歴情報は、イベント発生日時、コメント、動画データファイル名、および確認状況を含む。実施の形態２では、コメント部分が、「イベント発生」に置き換わる点が実施の形態１と異なる。
【００７４】
表示処理部２２５は、監視対象の接点のオンまたはオフの状態を一覧表示する外部入力信号モニタ画面を表示部２１２に表示させてもよい。他の構成要素は、実施の形態１で説明したものと同様であるので、その説明を省略する。
【００７５】
図１６は、実施の形態２による監視装置の外観の構成の一例を模式的に示す斜視図である。実施の形態２による監視装置２０では、表示部２１２に隣接する側面に、外部信号入力Ｉ／Ｆ２２２がさらに設けられる。外部信号入力Ｉ／Ｆ２２２は、制御装置１２とケーブルを介して接続される。外部信号入力Ｉ／Ｆ２２２は、ケース２５１に１つだけではなく、複数設けられてもよい。なお、他の構成要素は、実施の形態１で説明したものと同様であるので、その説明を省略する。
【００７６】
なお、上記した説明では、トリガ設定部２１６は、操作者によって指定された情報に基づいて、監視外部信号とトリガ設定条件とを設定していた。しかし、トリガ設定部２１６は、外部信号入力Ｉ／Ｆ２２２を介して受信した外部信号を取得し、この中から操作者によって選択された監視外部信号について設定を行うようにしてもよい。
【００７７】
また、実施の形態２における監視処理と履歴確認処理の手順は、実施の形態１で説明したものと同様であるので、その説明を省略する。
【００７８】
実施の形態２では、制御装置１２の外部出力部１２２と監視装置２０の外部信号入力Ｉ／Ｆ２２２とを接続するので、制御装置１２側で異常発生の検知の判断を行う必要がないという効果を、実施の形態１の効果に加えて得ることができる。
【００７９】
実施の形態３．
実施の形態１では、監視対象の制御装置のメモリに格納される値が異常である場合に、制御装置から受信される異常発生通知信号を監視装置が監視する場合を例に挙げた。また、実施の形態２では、制御装置の外部信号を監視装置が監視する場合を例に挙げた。実施の形態３では、制御装置から受信される異常発生通知信号と、制御装置の外部信号と、を監視装置が監視する場合を例に挙げる。
【００８０】
図１７は、実施の形態３による監視システムの機能構成の一例を模式的に示すブロック図である。監視システムは、実施の形態１の場合と同様に、監視装置２０と、カメラ５０と、を備える。監視装置２０は、製造システム１０を構成する製造装置１１中のある監視対象の製造装置１１ａを監視する。製造装置１１を制御する制御装置１２は、異常発生検知部１２１と、外部出力部１２２と、を有する。
【００８１】
監視装置２０は、実施の形態１，２で説明したものと同じ構成を有する。ただし、外部装置通信Ｉ／Ｆ２１３、異常分類情報記憶部２１５、トリガ設定部２１６、およびトリガ処理部２１８の機能が、実施の形態１，２で説明したものとは異なる。
【００８２】
外部装置通信Ｉ／Ｆ２１３は、実施の形態１と同様に制御装置１２の異常発生検知部１２１と通信回線を介して接続されるとともに、情報処理端末６１または外部記憶装置６２と接続される。
【００８３】
異常分類情報記憶部２１５は、異常発生通知信号に含まれるフラグまたは外部信号と、異常の種類と、を対応付ける情報である。図１８は、実施の形態３による異常分類情報の一例を示す図である。異常分類情報は、フラグまたは外部信号と、異常の種類と、を含む。フラグまたは外部信号は、異常発生通知信号中に含まれるフラグまたは外部信号入力Ｉ／Ｆ２２２を介して入力される監視外部信号を示す。異常の種類は、製造装置１１で発生した異常の種類を示す。外部装置通信Ｉ／Ｆ２１３を介して受信した異常発生通知信号の場合には、「装置異常」、「温度異常」、「ライン異常」の異常の種類が設定され、外部信号入力Ｉ／Ｆ２２２を介して受信した外部信号の場合には、「イベント発生」が設定される。
【００８４】
トリガ設定部２１６は、制御装置１２のメモリに格納される値、または制御装置１２の外部信号をトリガに設定する。図１９は、実施の形態３によるトリガ設定画面の一例を示す図である。トリガ設定画面５００は、入力種別選択部５５０、外部入力信号トリガ設定部５４０、デバイス種別設定部５１０、ビットデバイストリガ設定部５２０およびワードデバイストリガ設定部５３０を有する。入力種別選択部５５０は、外部信号かデバイス値かを設定する領域である。なお、実施の形態１，２で説明したものと同一の構成要素には同一の符号を付して説明を省略する。図１９のトリガ設定画面５００では、外部信号と異常発生通知信号のどちらかがトリガとなるように設定することが可能である。
【００８５】
トリガ処理部２１８は、外部装置通信Ｉ／Ｆ２１３からの異常発生通知信号または外部信号入力Ｉ／Ｆ２２２からの外部信号を受信すると、一時停止に関連するイベントが発生したと判定して、動画データを保存する処理を含むイベント履歴を記録する処理を行う。
【００８６】
イベント履歴を記録する際に、トリガ処理部２１８は、外部装置通信Ｉ／Ｆ２１３で異常発生通知信号を受信した場合には、実施の形態１で説明したものと同様の処理を行う。一方、トリガ処理部２１８は、外部信号入力Ｉ／Ｆ２２２で外部信号を受信した場合には、外部信号を受信した時刻をイベント発生日時とする。また、トリガ処理部２１８は、異常分類情報を参照して外部信号に対応する異常の種類「イベント発生」を取得してコメントとする。さらに、トリガ処理部２１８は、動画処理部２３２で保存された動画データファイル名を取得する。そして、トリガ処理部２１８は、これらの情報の確認状況を未確認としたレコードをイベント履歴情報に登録する。
【００８７】
図２０は、実施の形態３によるイベント履歴情報の一例を示す図である。イベント履歴情報は、イベント発生日時、コメント、動画データファイル名、および確認状況を含む。図２０に示されるように、実施の形態３では、外部信号をトリガとしたイベント履歴と、異常発生通知信号をトリガとしたイベント履歴と、がイベント履歴情報に含まれる。
【００８８】
他の構成要素は、実施の形態１で説明したものと同様であるので、その説明を省略する。また、監視装置２０の外観の構成は、図１６に示したものと同様である。
【００８９】
さらに、実施の形態３における監視処理と履歴確認処理の手順は、実施の形態１で説明したものと同様であるので、その説明を省略する。
【００９０】
実施の形態３では、外部出力部１２２を有さない制御装置１２と、外部装置通信Ｉ／Ｆを有さない制御装置１２と、が混在する場合でも、１つの監視装置２０で異常検知を行うことができるという効果を、実施の形態１，２の効果に加えて得ることができる。
【００９１】
実施の形態４．
実施の形態１から実施の形態３では、製造システムの運転速度が考慮されていなかった。運転速度によっては、動画データの記録時間を変更する必要が生じる。実施の形態４では、運転速度にしたがって、動画データの記録時間を変更する方法について説明する。
【００９２】
図２１は、実施の形態４による監視システムの機能構成の一例を模式的に示すブロック図である。監視装置２０が、運転速度パラメータ設定部２２３をさらに備える点を除いて、監視システムは、実施の形態１で説明したものと同様の構成を有する。運転速度パラメータ設定部２２３は、外部装置通信Ｉ／Ｆ２１３を介して接続される制御装置１２から運転速度パラメータを取得し、入力部２１１を介して操作者から指示された運転速度パラメータを制御装置１２に設定する。
【００９３】
動画処理部２３２は、トリガ処理部２１８から動画データ保存の指示を受けると、制御装置１２に設定された運転速度パラメータにしたがって、保存する動画データの記録時間を算出し、算出した記録時間の長さの動画データを保存する。具体的には、動画処理部２３２は、制御装置１２に設定された運転速度パラメータと、通常の運転速度パラメータと、の間の速度差を計算し、速度差にしたがって適切な記録時間を算出する。運転速度が、通常の運転速度に比して速い場合には、記録時間が短くされる。また、運転速度が、通常の運転速度に比して遅い場合には、記録時間が長くされる。
【００９４】
図２２は、実施の形態４による記録時間の一例を示す図である。通常の運転速度は、製造システム１０で製造時に使用される速度である。この場合には、動画処理部２３２は、異常発生時刻ｔ０からΔｔ１１前からΔｔ１２後までの範囲の動画データ２１１１を保存する。一方、運転速度パラメータが通常の運転速度に比して速い場合には、記録時間は通常の場合に比して短く設定される。図２２に示されるように、異常発生時刻ｔ０からΔｔ２１前からΔｔ２２後までの範囲の動画データ２１１２を保存する。ただし、｜Δｔ２１｜＜｜Δｔ１１｜であり、｜Δｔ２２｜＜｜Δｔ１２｜である。また、運転速度パラメータが通常の運転速度に比して遅い場合には、記録時間は通常の場合に比して長く設定される。図２２に示されるように、異常発生時刻ｔ０からΔｔ３１前からΔｔ３２後までの範囲の動画データ２１１３を保存する。ただし、｜Δｔ３１｜＞｜Δｔ１１｜であり、｜Δｔ３２｜＞｜Δｔ１２｜である。
【００９５】
一時停止が起こることが分かっている監視対象の製造装置１１ａについて、運転速度を低くして監視対象の製造装置１１ａを稼働させ、一時停止が発生する過程を確実に確認したい場合に、実施の形態４の監視装置２０は有効である。また、運転速度を高くして監視対象の製造装置１１ａを稼働させ、一時停止が起こるか否かを確認したい場合にも、実施の形態４の監視装置２０は有効である。
【００９６】
ここでは、運転速度パラメータにしたがって記録時間を変更する機能を有する動画処理部２３２が、実施の形態１の構成の場合に適用される場合を示したが、実施の形態２，３の構成の場合に適用されてもよい。
【００９７】
実施の形態４では、動画処理部２３２が、運転速度パラメータにしたがって記録時間を変更した動画データを保存するようにした。これによって、運転速度パラメータを変更するたびに、動画データの記録時間を設定し直す必要がない。このため、動画データの記録時間を設定するための時間が節約され、また、運転速度が変わっても適切な長さの動画データが保存される。
【００９８】
なお、上記した実施の形態では、監視装置２０は、製造システム１０の製造装置１１ａをカメラ５０で撮像した動画データを取り込み、製造システム１０での異常発生時に、取り込んだ動画データを用いて処理する場合を示した。しかし、監視装置２０は、動画データだけでなく、音データ、ある時間間隔で監視対象を撮像する静止画データを用いてもよい。すなわち、監視装置２０は、製造システム１０を動画、静止画または音で記録したイベント情報を取り込み、製造システム１０での異常発生時に取り込んだイベント情報を用いて処理することができる。また、この場合には、上記で説明した監視装置２０における動画データは、イベント情報に読み替えられ、撮像装置は、動画、静止画または音を記録する記録装置となる。
【００９９】
上述した実施の形態による監視装置２０において実行される処理を、該監視装置２０で実行される処理手順が格納されたプログラムとして構成し、このプログラムをＣＰＵ（Central  Processing  Unit）、記憶装置などを有するコンピュータ装置で実行することによって実現することができる。
【０１００】
図２３は、監視装置の機能を実現するコンピュータ装置のハードウェア構成の一例を模式的に示すブロック図である。図２３に示されるように、コンピュータ装置８００は、表示装置８０１、入力装置８０２、ＣＰＵ８０３、不揮発性メモリ８０４、揮発性メモリ８０５、表示用メモリ８０６、外部メモリインタフェース８０７、通信インタフェース８０８を有し、これらが内部バス８０９を介して接続される。
【０１０１】
表示装置８０１は、液晶表示装置または有機ＥＬ表示装置によって構成される。入力装置８０２は、キーボード、マウスによって構成される。ＣＰＵ８０３は、演算を行う。不揮発性メモリ８０４は、ＲＯＭ（Read  Only  Memory）によって構成される。揮発性メモリ８０５は、ＲＡＭ（Random  Access  Memory）によって構成される。表示用メモリ８０６は、表示装置８０１に表示する表示画面を記憶する。外部メモリインタフェース８０７は、フラッシュメモリの着脱可能な外部メモリとのインタフェースである。通信インタフェース８０８は、外部機器との間で通信を行うインタフェースである。
【０１０２】
そして、不揮発性メモリ８０４に格納された上記の監視装置２０において実行される処理の処理手順が記述されたプログラムが揮発性メモリ８０５にロードされ、ＣＰＵ８０３によって実行される。このプログラムは、ハードディスク、ＣＤ（Compact  Disk）、ＲＯＭ（Read  Only  Memory）、ＭＯ（Magneto-Optical  disk）、ＤＶＤ（Digital  Versatile  DiskまたはDigital  Video  Disk）などのコンピュータ装置で読取可能な記録媒体に記録される。あるいは、このプログラムは、インターネットなどのネットワーク（通信回線）を介して配布される。この場合には、通信インタフェース８０８を介して接続された情報処理端末からプログラムが不揮発性メモリ８０４上に格納される。
【符号の説明】
【０１０３】
１０  製造システム、１１  製造装置、１１ａ  監視対象の製造装置、１２  制御装置、２０  監視装置、５０  カメラ、６１  情報処理端末、６２  外部記憶装置、６３  外部メモリ、１２１  異常発生検知部、１２２  外部出力部、２１０  プログラマブル表示器、２１１  入力部、２１２  表示部、２１３  外部装置通信Ｉ／Ｆ、２１４  動画保存条件記憶部、２１５  異常分類情報記憶部、２１６  トリガ設定部、２１７  イベント履歴情報記憶部、２１８  トリガ処理部、２１９  履歴確認部、２２０  強制保存部、２２１  外部メモリＩ／Ｆ、２２２  外部信号入力Ｉ／Ｆ、２２３  運転速度パラメータ設定部、２２４  ファイル処理部、２２５  表示処理部、２３０  動画処理装置、２３１  映像入力Ｉ／Ｆ、２３２  動画処理部、２３３  バッファ、２３４  内部記憶部、２５１  ケース、２５２  外部メモリ接続部、２５３  ＡＣ電源、２５４  サービスコンセント、２５５  電源スイッチ、２５６  取っ手、８００  コンピュータ装置、８０１  表示装置、８０２  入力装置、８０３  ＣＰＵ、８０４  不揮発性メモリ、８０５  揮発性メモリ、８０６  表示用メモリ、８０７  外部メモリインタフェース、８０８  通信インタフェース、８０９  内部バス。
【図１】
2017208391.tif 000003
【図２】
2017208391.tif 000004
【図３】
2017208391.tif 000005
【図４】
2017208391.tif 000006
【図５】
2017208391.tif 000007
【図６】
2017208391.tif 000008
【図７】
2017208391.tif 000009
【図８】
2017208391.tif 000010
【図９】
2017208391.tif 000011
【図１０】
2017208391.tif 000012
【図１１】
2017208391.tif 000013
【図１２】
2017208391.tif 000014
【図１３】
2017208391.tif 000015
【図１４】
2017208391.tif 000016
【図１５】
2017208391.tif 000017
【図１６】
2017208391.tif 000018
【図１７】
2017208391.tif 000019
【図１８】
2017208391.tif 000020
【図１９】
2017208391.tif 000021
【図２０】
2017208391.tif 000022
【図２１】
2017208391.tif 000023
【図２２】
2017208391.tif 000024
【図２３】
2017208391.tif 000025
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
把持部材が取り付けられたケースと、
ケースに格納される本体部と、
を備え、
前記本体部は、
記録装置から入力されたイベント情報を一時的に保存するイベント情報一時保存部と、
製造装置を制御する制御装置とデータ通信を行う第１通信部と、
前記制御装置で得られる制御情報のうち監視する対象の監視制御情報を選択し、前記監視制御情報が異常となるトリガ判定条件を、前記制御装置に設定するトリガ設定部と、
前記トリガ判定条件にしたがって前記制御装置によって異常と判定され、送信された異常発生通知信号を受信すると、異常発生についてのイベント履歴をイベント履歴情報に登録するトリガ処理部と、
前記トリガ処理部によって前記異常発生が検知されると、前記イベント情報一時保存部に保存されている前記異常発生の時刻を含む前記異常発生の前後の期間の前記イベント情報を記憶部に保存するイベント情報処理部と、
前記イベント履歴情報を表示部に表示する表示処理部と、
前記制御装置に運転速度パラメータを設定する運転速度パラメータ設定部と、
を有し、
前記トリガ処理部は、前記異常発生の時刻と、保存された前記イベント情報とを対応付けた前記イベント履歴を生成し、
前記表示処理部は、前記イベント履歴情報中の選択された前記イベント履歴に含まれる前記イベント情報を前記表示部に表示し、
前記イベント情報処理部は、前記制御装置での前記運転速度パラメータを変化させた場合に、基準となる第１運転速度パラメータと、監視時の第２運転速度パラメータとの差にしたがって、前記イベント情報の記録時間の長さを変化させることを特徴とする監視装置。
【請求項２】
前記トリガ判定条件は、前記監視制御情報が１ビットのデータである場合には、前記監視制御情報の立ち上がりまたは立ち下がりを指定するものであり、前記監視制御情報が複数ビットのデータである場合には、前記監視制御情報が異常となる範囲を指定するものであることを特徴とする請求項１に記載の監視装置。
【請求項３】
前記トリガ処理部は、前記異常発生通知信号に含まれる異常種別情報と、前記イベント情報の操作者による確認の有無を示す確認有無情報と、を前記異常発生の時刻と前記イベント情報とに関連付けた前記イベント履歴を生成することを特徴とする請求項１に記載の監視装置。
【請求項４】
前記トリガ設定部は、前記第１通信部を介して前記制御装置との間で通信を実施し、前記通信によって得られた信号の中から前記監視制御情報を選択することを特徴とする請求項１に記載の監視装置。
【請求項５】
前記表示処理部は、前記トリガ判定条件を設定するトリガ設定画面と、前記記録装置からのイベント情報を表示する入力イベント情報表示画面と、記録した前記イベント情報を再生するイベント情報再生画面と、前記イベント履歴情報を表示するイベント履歴確認画面と、を指示にしたがって前記表示部に切り替えて表示することを特徴とする請求項１に記載の監視装置。
【請求項６】
前記本体部は、情報処理端末とデータ通信を行う第２通信部をさらに有し、
前記表示処理部は、前記記録装置からのイベント情報を、前記第２通信部を介して前記情報処理端末に送信することを特徴とする請求項１に記載の監視装置。
【請求項７】
前記本体部は、
情報処理端末または外部記憶装置とデータ通信を行う第２通信部と、
前記記憶部に記憶された前記イベント情報を、前記第２通信部を介して前記情報処理端末または前記外部記憶装置に保存するファイル処理部と、
をさらに有することを特徴とする請求項１に記載の監視装置。
【請求項８】
把持部材が取り付けられたケースと、
ケースに格納される本体部と、
を備え、
前記本体部は、
記録装置から入力されたイベント情報を一時的に保存するイベント情報一時保存部と、
製造装置を制御する制御装置から出力される外部信号を受信する外部信号入力部と、
前記制御装置から出力される前記外部信号のうち監視する対象の監視外部信号を選択し、前記監視外部信号が異常となる第１トリガ判定条件を、前記制御装置に設定するトリガ設定部と、
前記監視外部信号が入力されると、異常発生についてのイベント履歴をイベント履歴情報に登録するトリガ処理部と、
前記トリガ処理部によって前記異常発生が検知されると、前記イベント情報一時保存部に保存されている前記異常発生の時刻を含む前記異常発生の前後の期間の前記イベント情報を記憶部に保存するイベント情報処理部と、
前記イベント履歴情報を表示部に表示する表示処理部と、
前記制御装置に運転速度パラメータを設定する運転速度パラメータ設定部と、
を有し、
前記トリガ処理部は、前記異常発生の時刻と、保存された前記イベント情報とを対応付けた前記イベント履歴を生成し、
前記表示処理部は、前記イベント履歴情報中の選択された前記イベント履歴に含まれる前記イベント情報を前記表示部に表示し、
前記イベント情報処理部は、前記制御装置での前記運転速度パラメータを変化させた場合に、基準となる第１運転速度パラメータと、監視時の第２運転速度パラメータとの差にしたがって、前記イベント情報の記録時間の長さを変化させることを特徴とする監視装置。
【請求項９】
前記第１トリガ判定条件は、前記監視外部信号の立ち上がりまたは立ち下がりを指定するものであることを特徴とする請求項８に記載の監視装置。
【請求項１０】
前記トリガ処理部は、前記監視外部信号に基づく異常種別情報と、前記イベント情報の操作者による確認の有無を示す確認有無情報と、を前記異常発生の時刻と前記イベント情報とに関連付けた前記イベント履歴を生成することを特徴とする請求項８に記載の監視装置。
【請求項１１】
前記本体部は、製造装置を制御する制御装置とデータ通信を行う通信部をさらに有し、
前記トリガ設定部は、前記制御装置で得られる制御情報のうち監視する対象の監視制御情報を選択し、前記監視制御情報が異常となる第２トリガ判定条件を、前記制御装置にさらに設定し、
前記トリガ処理部は、前記第２トリガ判定条件にしたがって前記制御装置によって異常と判定され、送信された異常発生通知信号を受信した場合にも、異常発生についてのイベント履歴を前記イベント履歴情報に登録することを特徴とする請求項８に記載の監視装置。
【請求項１２】
前記本体部は、
情報処理端末または外部記憶装置とデータ通信を行う通信部と、
前記記憶部に記憶された前記イベント情報を、前記通信部を介して前記情報処理端末または前記外部記憶装置に保存するファイル処理部と、
をさらに有することを特徴とする請求項８に記載の監視装置。
【請求項１３】
前記トリガ設定部は、前記外部信号入力部を介して前記制御装置との間で通信を実施し、前記通信によって得られた信号の中から前記監視外部信号を選択することを特徴とする請求項８に記載の監視装置。
【請求項１４】
前記表示処理部は、前記第１トリガ判定条件を設定するトリガ設定画面と、前記記録装置からのイベント情報を表示する入力イベント情報表示画面と、記録した前記イベント情報を再生するイベント情報再生画面と、前記イベント履歴情報を表示するイベント履歴確認画面と、を指示にしたがって前記表示部に切り替えて表示することを特徴とする請求項８に記載の監視装置。
【請求項１５】
前記本体部は、情報処理端末とデータ通信を行う通信部をさらに有し、
前記表示処理部は、前記記録装置からのイベント情報を、前記通信部を介して前記情報処理端末に送信することを特徴とする請求項８に記載の監視装置。
【請求項１６】
前記イベント情報処理部は、前記イベント情報中の前記異常発生時のフレームに区切り情報を付加することを特徴とする請求項１または８に記載の監視装置。
【請求項１７】
前記本体部は、
外部メモリと接続し、前記外部メモリとの間で通信を行う外部メモリ接続部と、
前記記憶部に記憶された前記イベント情報を、前記外部メモリ接続部を介して前記外部メモリに保存するファイル処理部と、
をさらに有することを特徴とする請求項１または８に記載の監視装置。
【請求項１８】
前記本体部は、前記異常発生が検知された場合の前記イベント情報処理部によるイベント情報の保存とは独立に、前記記録装置からのイベント情報を前記記憶部に保存する強制保存部をさらに有することを特徴とする請求項１または８に記載の監視装置。
【請求項１９】
前記本体部は、前記確認有無情報が無である前記イベント履歴を前記イベント履歴情報から取得する履歴確認部をさらに有し、
前記表示処理部は、取得した前記確認有無情報が無である前記イベント履歴を前記表示部に表示することを特徴とする請求項３または１０に記載の監視装置。
【請求項２０】
製造装置を制御する制御装置で得られる制御情報のうち監視する対象の監視制御情報を選択し、前記監視制御情報が異常となるトリガ判定条件を、通信部を介して前記制御装置に設定する第１工程と、
前記制御装置に運転速度パラメータを設定する第２工程と、
前記トリガ判定条件を設定した前記制御装置が制御する製造装置を記録する第３工程と、
記録されたイベント情報を一時的に保存する第４工程と、
前記トリガ判定条件にしたがって前記制御装置によって異常と判定された異常発生通知信号を受信する第５工程と、
前記異常発生通知信号を受信すると、一時的に保存されている前記イベント情報のうち、異常発生の時刻を含む前記異常発生の前後の期間の前記イベント情報を保存する第６工程と、
前記異常発生の時刻と、保存された前記イベント情報と、を関連付けたイベント履歴を、イベント履歴情報に登録する第７工程と、
前記イベント履歴情報中の選択された前記イベント履歴に含まれる前記イベント情報を表示する第８工程と、
を含み、
前記第６工程では、前記制御装置での前記運転速度パラメータを変化させた場合に、基準となる第１運転速度パラメータと、監視時の第２運転速度パラメータとの差にしたがって、前記イベント情報の記録時間の長さを変化させることを特徴とする監視方法。
【請求項２１】
製造装置を制御する制御装置から出力される外部信号のうち監視する対象の監視外部信号を選択し、前記監視外部信号が異常となるトリガ判定条件を、前記制御装置に設定する第１工程と、
前記制御装置に運転速度パラメータを設定する第２工程と、
前記トリガ判定条件を設定した前記制御装置が制御する製造装置を記録する第３工程と、
記録されたイベント情報を一時的に保存する第４工程と、
前記制御装置から出力される前記監視外部信号を受信し、異常発生を検知する第５工程と、
前記異常発生が検知されると、一時的に保存されている前記イベント情報のうち、前記異常発生の時刻を含む前記異常発生の前後の期間の前記イベント情報を保存する第６工程と、
前記異常発生の時刻と、保存された前記イベント情報と、を関連付けたイベント履歴を、イベント履歴情報に登録する第７工程と、
前記イベント履歴情報中の選択された前記イベント履歴に含まれる前記イベント情報を表示する第８工程と、
を含み、
前記第６工程では、前記制御装置での前記運転速度パラメータを変化させた場合に、基準となる第１運転速度パラメータと、監視時の第２運転速度パラメータとの差にしたがって、前記イベント情報の記録時間の長さを変化させることを特徴とする監視方法。
【手続補正２】
【補正対象書類名】明細書
【補正対象項目名】０００６
【補正方法】変更
【補正の内容】
【０００６】
上記目的を達成するため、本発明にかかる監視装置は、把持部材が取り付けられたケースと、ケースに格納される本体部と、を備える。本体部は、イベント情報一時保存部と、第１通信部と、トリガ設定部と、トリガ処理部と、イベント情報処理部と、表示処理部と、運転速度パラメータ設定部と、を有する。イベント情報一時保存部は、記録装置から入力されたイベント情報を一時的に保存する。第１通信部は、製造装置を制御する制御装置とデータ通信を行う。トリガ設定部は、制御装置で得られる制御情報のうち監視する対象の監視制御情報を選択し、監視制御情報が異常となるトリガ判定条件を、制御装置に設定する。トリガ処理部は、トリガ判定条件にしたがって制御装置によって異常と判定され、送信された異常発生通知信号を受信すると、異常発生についてのイベント履歴をイベント履歴情報に登録する。イベント情報処理部は、トリガ処理部によって異常発生が検知されると、イベント情報一時保存部に保存されている異常発生の時刻を含む異常発生の前後の期間のイベント情報を記憶部に保存する。表示処理部は、イベント履歴情報を表示部に表示する。運転速度パラメータ設定部は、制御装置に運転速度パラメータを設定する。トリガ処理部は、異常発生の時刻と、保存されたイベント情報とを対応付けたイベント履歴を生成する。表示処理部は、イベント履歴情報中の選択されたイベント履歴に含まれるイベント情報を表示部に表示する。イベント情報処理部は、制御装置での運転速度パラメータを変化させた場合に、基準となる第１運転速度パラメータと、監視時の第２運転速度パラメータとの差にしたがって、イベント情報の記録時間の長さを変化させる。
【国際調査報告】
2017208391.tif 000026
2017208391.tif 000027
2017208391.tif 000028
2017208391.tif 000029